(57)【要約】【課題】  本発明はビニール袋を取り出す際に変形することなくスムーズに取り出すことを可能とするビニール袋収納体を提供することを目的とするものである。【解決手段】上端が開口した袋状に構成され、下端の略中央部に取出用開口部が形成されたキルティング製の第１の収納体２と、上端が開口した袋状に構成され、下端の略中央部に取出用開口部が形成されると共に、第１の収納体２よりも大きさが小さく、その上端が第１の収納体２の上端と略同位置となる様に第１の収納体２に重ねて配置されたキルティング製の第２の収納体３と、第１の収納体２の上端の開口及び第２の収納体３の上端の開口を閉塞可能に構成された蓋部１０と、第２の収納体３の第１の収納体２とは反対側であると共に、第２の収納体３の上端近傍に配置された棒状部１２とを備える。【選択図】図１
2013216341.tif 000002
【特許請求の範囲】
【請求項１】
上端が開口した袋状に構成され、下端の略中央部に取出用開口部が形成された布製の第１の収納体と、
上端が開口した袋状に構成され、下端の略中央部に取出用開口部が形成されると共に、前記第１の収納体よりも大きさが小さく、その上端が前記第１の収納体の上端と略同位置となる様に前記第１の収納体に重ねて配置された布製の第２の収納体と、
前記第１の収納体の上端の開口及び前記第２の収納体の上端の開口を閉塞可能に構成された蓋部と、
前記第２の収納体の前記第１の収納体とは反対側であると共に、前記第２の収納体の上端近傍に配置された棒状部とを備える
収納体。
【請求項２】
前記蓋部に設けられた吊下げ用紐部を備える
請求項１に記載の収納体。
【請求項３】
前記第２の収納体の前記第１の収納体とは逆側面に配置された、所要数のポケット部を備える
請求項１または請求項２に記載の収納体。
【請求項４】
上端が開口した袋状に構成され、下端の略中央部に取出用開口部が形成された布製の第１の収納体と、
上端が開口した袋状に構成され、下端の略中央部に取出用開口部が形成されると共に、その上端が前記第１の収納体の上端と略同位置となる様に前記第１の収納体に重ねて配置された布製の第２の収納体と、
前記第１の収納体と前記第２の収納体の少なくとも一方に設けられた吊下げ用紐部とを備える
収納体。
【請求項５】
上端が開口した袋状に構成され、下端の略中央部に取出用開口部が形成された布製の第１の収納体と、
上端が開口した袋状に構成され、下端の略中央部に取出用開口部が形成されると共に、前記第１の収納体よりも大きさが小さく、その上端が前記第１の収納体の上端と略同位置となる様に前記第１の収納体に重ねて配置された布製の第２の収納体と、
前記第１の収納体の上端の開口及び前記第２の収納体の上端の開口を閉塞可能に構成された蓋部と、
棒状部を挿通せしめることで、同棒状部を前記第２の収納体の前記第１の収納体とは反対側であると共に、前記第２の収納体の上端近傍に配置可能に構成された環状部とを備える
収納体。
【請求項６】
上端に棒状部が挿通可能な環状部が形成されると共に、第１の面及び第２の面を有する布製の仕切り部と、
該仕切り部の第１の面に配置されると共に、少なくとも一端が開口した袋状に構成され、下端の略中央部に取出用開口部が形成された布製の第１の収納体と、
前記仕切り部の第２の面に配置されると共に、少なくとも一端が開口した袋状に構成され、下端の略中央部に取出用開口部が形成された布製の第２の収納体とを備える
収納体。
【発明の詳細な説明】
【技術分野】
【０００１】
本発明は、収納体に関する。詳しくは、数種のビニール袋等を個々に収納するようにした収納体に係るものである。
【背景技術】
【０００２】
従来、この種のビニール袋の収納体として、例えば特許文献１に記載されたものが知られている。
具体的には、図７に示すように、袋状のネット１０１の上部分に、ふきんかけ棒を通すための輪１０３が設けられ、ネット１０１の中央上部分のビニール袋１０４を納めるためのポケット１０５が設けられている。
【０００３】
また、ネット１０１の下部分には、ビニール袋１０４を取り出すための取り出し口１０６が設けられている。
【０００４】
このような構成のビニール袋収納体は、ふきんかけ棒にネット１０１の輪１０３を通し、ポケット１０５から２つ折りにしたビニール袋１０４を入れ、取り出し口１０６からビニール袋１０４を引っ張り取り出して使用する。
【先行技術文献】
【特許文献】
【０００５】
【特許文献１】特開２００７−３３１８３５号公報
【発明の概要】
【発明が解決しようとする課題】
【０００６】
しかしながら、特許文献１の発明では、ビニール袋を袋状のネットに収めるために、ビニール袋を取り出す際にネットが変形してビニール袋を取り出し難い。
【０００７】
また、ビニール袋を取り出す際にネットが変形することで収納されたビニール袋全体が変形して取り出し口から飛び出した状態となり、連続してビニール袋を取り出すのが困難となる。
【０００８】
また、ビニール袋がネットに収納されることで網目よりビニール袋が外気に晒されることになり、特に台所では網目より油を含んだ湯気等が付着して清潔感を担保することが困難となる。
【０００９】
本発明は、以上の点に鑑みて創案されたものであって、収納物の取り出しが容易であると共に、収納物を清潔に保つことが可能な収納体を提供することを目的とするものである。
【課題を解決するための手段】
【００１０】
上記の目的を達成するために、本発明に係る収納体は、上端が開口した袋状に構成され、下端の略中央部に取出用開口部が形成された布製の第１の収納体と、上端が開口した袋状に構成され、下端の略中央部に取出用開口部が形成されると共に、前記第１の収納体よりも大きさが小さく、その上端が前記第１の収納体の上端と略同位置となる様に前記第１の収納体に重ねて配置された布製の第２の収納体と、前記第１の収納体の上端の開口及び前記第２の収納体の上端の開口を閉塞可能に構成された蓋部と、前記第２の収納体の前記第１の収納体とは反対側であると共に、前記第２の収納体の上端近傍に配置された棒状部とを備える。
【００１１】
ここで、第１の収納体が一定の強度を有する布製材料で構成されたことによって、第１の収納体から収納物（例えば、複数に束ねた二つ折りのビニール袋）を取り出す際に、第１の収納体が型崩れ等の変形を生じ難く、容易に収納物を取り出すことができる。また、収納物が第１の収納体内で保持されることで、収納時に収納物を清潔に保つことができる。
【００１２】
更に、第２の収納体が一定の強度を有する布製材料で構成されたことによって、第２の収納体から収納物（例えば、複数に束ねた二つ折りのビニール袋）を取り出す際に、第２の収納体が型崩れ等の変形を生じ難く、容易に収納物を取り出すことができる。また、収納物が第２の収納体内で保持されることで、収納時に収納物を清潔に保つことができる。
【００１３】
また、第２の収納体が第１の収納体よりも小さく構成され、即ち、第１の収納体と第２の収納体の大きさが異なることによって、異なる大きさの収納物（例えば、複数に束ねた二つ折りのビニール袋）を収納することができる。なお、第２の収納体よりも更に小さいサイズの第３の収納体等を有して構成することも可能である。
【００１４】
また、蓋部が第１の収納体の上端の開口及び第２の収納体の上端の開口を閉塞することによって、より一層充分に収納物を清潔に保つことができる。
【００１５】
更に、棒状部が第２の収納体の第１の収納体とは反対側に配置されたことによって、第１の収納体を壁側として壁掛けを行った際に、第１の収納体及び第２の収納体が棒状部と壁との間に挟まれた状態となり、換言すると、第１の収納体及び第２の収納体が棒状部により壁側に押し付けられた状態となる。そのために、第１の収納体及び第２の収納体から収納物（例えば、複数に束ねた二つ折りのビニール袋）を取り出す際に、第１の収納体や第２の収納体が移動し難く、また、型崩れ等の変形を生じ難く、容易に収納物を取り出すことができる。
なお、第１の収納体を壁側として壁掛けを行うことで、第１の収納体より小さく構成された第２の収納体が手前側（壁とは反対側）となり、第２の収納体の収納物の取り出しも容易である。
【００１６】
また、蓋部に吊り下げ用紐部が設けられた場合には、例えば、台所等の壁に吊り下げることが可能となる。
【００１７】
また、第２の収納体の第１の収納体とは逆側面に所用数のポケット部が配置された場合には、各種小物等を収納することが可能となる。なお、第１の収納体を壁側として壁掛けを行うことで、ポケット部が手前側（壁とは反対側）となり、ポケット部の収納物の取り出しも容易である。
【００１８】
また、上記目的を達成するために、本発明に係る収納体は、上端が開口した袋状に構成され、下端の略中央部に取出用開口部が形成された布製の第１の収納体と、上端が開口した袋状に構成され、下端の略中央部に取出用開口部が形成されると共に、その上端が前記第１の収納体の上端と略同位置となる様に前記第１の収納体に重ねて配置された布製の第２の収納体と、前記第１の収納体と前記第２の収納体の少なくとも一方に設けられた吊下げ用紐部とを備える。
【００１９】
ここで、第１の収納体が一定の強度を有する布製材料で構成されたことによって、第１の収納体から収納物（例えば、複数に束ねた二つ折りのビニール袋）を取り出す際に、第１の収納体が型崩れ等の変形を生じ難く、容易に収納物を取り出すことができる。また、収納物が第１の収納体内で保持されることで、収納時に収納物を清潔に保つことができる。
【００２０】
更に、第２の収納体が一定の強度を有する布製材料で構成されたことによって、第２の収納体から収納物（例えば、複数に束ねた二つ折りのビニール袋）を取り出す際に、第２の収納体が型崩れ等の変形を生じ難く、容易に収納物を取り出すことができる。また、収納物が第２の収納体内で保持されることで、収納時に収納物を清潔に保つことができる。
【００２１】
また、第２の収納体が第１の収納体よりも小さく構成され、即ち、第１の収納体と第２の収納体の大きさが異なることによって、異なる大きさの収納物（例えば、複数に束ねた二つ折りのビニール袋）を収納することができる。なお、第２の収納体よりも更に小さいサイズの第３の収納体等を有して構成することも可能である。
【００２２】
また、第１の収納体と第２の収納体の少なくとも一方に吊り下げ用紐部が設けられた場合には、例えば、台所等の壁に吊り下げることが可能となる。
【００２３】
また、上記目的を達成するために、本発明に係る収納体は、上端が開口した袋状に構成され、下端の略中央部に取出用開口部が形成された布製の第１の収納体と、上端が開口した袋状に構成され、下端の略中央部に取出用開口部が形成されると共に、前記第１の収納体よりも大きさが小さく、その上端が前記第１の収納体の上端と略同位置となる様に前記第１の収納体に重ねて配置された布製の第２の収納体と、前記第１の収納体の上端の開口及び前記第２の収納体の上端の開口を閉塞可能に構成された蓋部と、棒状部を挿通せしめることで、同棒状部を前記第２の収納体の前記第１の収納体とは反対側であると共に、前記第２の収納体の上端近傍に配置可能に構成された環状部とを備える。
【００２４】
ここで、第１の収納体が一定の強度を有する布製材料で構成されたことによって、第１の収納体から収納物（例えば、複数に束ねた二つ折りのビニール袋）を取り出す際に、第１の収納体が型崩れ等の変形を生じ難く、容易に収納物を取り出すことができる。また、収納物が第１の収納体内で保持されることで、収納時に収納物を清潔に保つことができる。
【００２５】
更に、第２の収納体が一定の強度を有する布製材料で構成されたことによって、第２の収納体から収納物（例えば、複数に束ねた二つ折りのビニール袋）を取り出す際に、第２の収納体が型崩れ等の変形を生じ難く、容易に収納物を取り出すことができる。また、収納物が第２の収納体内で保持されることで、収納時に収納物を清潔に保つことができる。
【００２６】
また、第２の収納体が第１の収納体よりも小さく構成され、即ち、第１の収納体と第２の収納体の大きさが異なることによって、異なる大きさの収納物（例えば、複数に束ねた二つ折りのビニール袋）を収納することができる。なお、第２の収納体よりも更に小さいサイズの第３の収納体等を有して構成することも可能である。
【００２７】
また、蓋部が第１の収納体の上端の開口及び第２の収納体の上端の開口を閉塞することによって、より一層充分に収納物を清潔に保つことができる。
【００２８】
更に、環状部が棒状部を第２の収納体の第１の収納体とは反対側に配置することによって、第１の収納体を壁側として壁掛けを行った際に、第１の収納体及び第２の収納体が棒状部と壁との間に挟まれた状態となり、換言すると、第１の収納体及び第２の収納体が棒状部により壁側に押し付けられた状態となる。そのために、第１の収納体及び第２の収納体から収納物（例えば、複数に束ねた二つ折りのビニール袋）を取り出す際に、第１の収納体や第２の収納体が移動し難く、また、型崩れ等の変形を生じ難く、容易に収納物を取り出すことができる。
なお、第１の収納体を壁側として壁掛けを行うことで、第１の収納体より小さく構成された第２の収納体が手前側（壁とは反対側）となり、第２の収納体の収納物の取り出しも容易である。
【００２９】
また、上記目的を達成するために、本発明に係る収納体は、上端に棒状部が挿通可能な環状部が形成されると共に、第１の面及び第２の面を有する布製の仕切り部と、該仕切り部の第１の面に配置されると共に、少なくとも一端が開口した袋状に構成され、下端の略中央部に取出用開口部が形成された布製の第１の収納体と、前記仕切り部の第２の面に配置されると共に、少なくとも一端が開口した袋状に構成され、下端の略中央部に取出用開口部が形成された布製の第２の収納体とを備える。
【００３０】
ここで、環状部に棒状部が挿通されることによって、仕切り部が型崩れ等の変形を生じ難くなる。同様に、仕切り部が一定の強度を有する布製材料で構成されたことによっても、仕切り部が型崩れ等の変形を生じ難くなる。
【００３１】
また、第１の収納体が一定の強度を有する布製材料で構成されたことによって、第１の収納体から収納物（例えば、複数に束ねた二つ折りのビニール袋）を取り出す際に、第１の収納体が型崩れ等の変形を生じ難く、容易に収納物を取り出すことができる。なお、収納物が第１の収納体内で保持されることで、収納時に収納物を清潔に保つことができる。
【００３２】
更に、第２の収納体が一定の強度を有する布製材料で構成されたことによって、第２の収納体から収納物（例えば、複数に束ねた二つ折りのビニール袋）を取り出す際に、第２の収納体が型崩れ等の変形を生じ難く、容易に収納物を取り出すことができる。なお、収納物が第２の収納体内で保持されることで、収納時に収納物を清潔に保つことができる。
【００３３】
なお、第１の収納体、第２の収納体、仕切り部を構成する布製材料としては、例えば、キルティング生地、デニム生地等の厚手の生地が挙げられる。
【発明の効果】
【００３４】
本発明の収納体によれば、収納物の取り出しが容易であると共に、収納物を清潔に保つことが可能となる。
【図面の簡単な説明】
【００３５】
【図１】本発明を適用したビニール袋収納体の一例を説明するための模式図である。
【図２】本発明を適用したビニール袋収納体の一例を説明するための立体模式図である。
【図３】本発明を適用したビニール袋収納体の一例を説明するための要部拡大模式図である。
【図４】本発明を適用したビニール袋収納体の他の例を説明するための模式図である。
【図５】本発明を適用したビニール袋収納体の他の例を説明するための立体模式図である。
【図６】本発明を適用したビニール袋収納体の更に他の例を説明するための模式図である。
【図７】従来のビニール袋収納体の一例を説明するための模式図である。
【発明を実施するための形態】
【００３６】
以下、本発明の実施の形態を図面を参酌しながら説明し、本発明の理解に供する。
【００３７】
＜第１の実施の形態＞
図１（図１（Ａ）は本発明を適用したビニール袋収納体の一例を説明するための正面模式図を示し、図１（Ｂ）は本発明を適用したビニール袋収納体の一例を説明するための背面模式図を示す。）は本発明を適用したビニール袋収納体の一例を説明するための模式図、図２は本発明を適用したビニール袋収納体の一例を説明するための立体模式図である。
【００３８】
ここで示すビニール袋収納体１は、キルティング生地で形成されており、例えば、ビニール袋の大きさに応じて第１の収納体２、第２の収納体３及び第３の収納体４から構成されている。
【００３９】
ここで、第１の収納体２は、その幅が、大のビニール袋の幅と略同一に形成されており、大のビニール袋を横向きに二つ折りにして収納できる様に形成されている。
【００４０】
第２の収納体３は、その幅が、中のビニール袋の幅と略同一に形成されており、中のビニール袋を横向きに二つ折りにして収納できる様に形成されている。
また、第２の収納体３の上端が第１の収納体２の上端と揃う様に、かつ、第２の収納体３の幅方向の中心位置が第１の収納体２の幅方向の中心位置と揃う様に、第１の収納体２の上に第２の収納体３が重ねられている。
【００４１】
第３の収納体４は、その幅が、小のビニール袋の幅と略同一に形成されており、小のビニール袋を横向きに二つ折りして収納できる様に形成されている。
また、第３の収納体４の上端が第１の収納体２及び第２の収納体３の上端と揃う様に、かつ、第３の収納体４の幅方向の中心位置が第１の収納体２及び第２の収納体３の幅方向の中心位置と揃う様に、第２の収納体３の上に第３の収納体４が重ねられている。
【００４２】
また、第３の収納体４の第２の収納体３とは反対側の面には、お金、レシートや輪ゴム等を入れる小物入れポケット５と鉛筆やはさみ等を入れる小物入れポケット５Ａが取付けられている。
【００４３】
また、第１の収納体２、第２の収納体３及び第３の収納体４の下端中央には、ビニール袋取出し口６、６Ａ、６Ｂが開口されている。
【００４４】
また、図３に示す様に、第１の収納体２、第２の収納体３及び第３の収納体４の上端は開口状とされ、ビニール袋投入口７、７Ａ、７Ｂとされている。
【００４５】
更に、第１の収納体２のビニール袋投入口７の一辺８と第２の収納体３のビニール袋投入口７Ａの他辺９が縫合され、第２の収納体３のビニール袋投入口７Ａの一辺８Ａと第３の収納体４のビニール袋投入口７Ｂの他辺９Ａが縫合されている。
【００４６】
また、第１の収納体２、第２の収納体３及び第３の収納体４のビニール袋投入口７、７Ａ、７Ｂを跨ぐようにして蓋部１０が取付けられている。
【００４７】
この蓋部１０は、その幅長さが第１の収納体２の幅長さと略同じ長さとされると共に、その全長長さが第１の収納体２、第２の収納体３及び第３の収納体４のビニール袋投入口７、７Ａ、７Ｂを跨ぐようにして覆う長さとされる。
【００４８】
そして、蓋部１０の一端が第３の収納体４の一辺側に縫合され、その他端の裏面には面状テープ１１が取付けられている。また、この面状テープ１１に相対する第１の収納体２の裏側面に面状テープ１１Ａが取付けられている。更に、蓋部１０の略中央には、吊下げ用としての紐部１３が取付けられている。
【００４９】
更に、蓋部１０の内側面には、棒状部１２が配置されている。具体的には、第３の収納体４の上（第３の収納体４の第２の収納体３とは逆側）で、かつ、第３の収納体４の上端近傍に配置されている。
ここで、棒状部１２は、第１の収納体２の上端に環状部（図示せず）を設け、この環状部に挿通したり、第１の収納体２と接着剤等を用いて固着したりして、取り付けることができる。
【００５０】
なお、環状部（図示せず。）に棒状部を挿通して固定する場合には、棒状部１２の外径と環状部の内径がほとんど同じとなる様に構成し、棒状部１２が環状部内で横滑りし難いようにする。これにより、ビニール袋収納体１が安定してビニール袋等の取り出しの容易化が実現する。
【００５１】
なお、本実施例では、第１の収納体、第２の収納体及び第３の収納体と３個の収納体を設けるものであるが、必ずしも３個とする必要性は無い。例えば、２個、あるいは４個など複数の個数であればいかなる個数であっても構わない。
【００５２】
また、本実施例では、第１の収納体、第２の収納体及び第３の収納体をキルティング製の生地で構成するものであるが、必ずしもキルティング製で形成する必要性は無い。例えば、デニム製の生地など布製であればいかなる生地であっても構わないが、型崩れ等のし難い厚手の生地であることが望ましい。
【００５３】
以上の構成よりなるビニール袋収納体１では、蓋部１０を開いた状態で第１の収納体２、第２の収納体３及び第３の収納体４のビニール袋投入口７、７Ａ、７Ｂからビニール袋１６、１６Ａ、１６Ｂを二つ折りにして収納する。
【００５４】
そして、蓋部１０で棒状部１２を覆うようにして蓋部１０の面状テープ１１Ａと第１の収納体２の面状テープ１１とを密着させる。
【００５５】
このようにしてビニール袋１６、１６Ａ、１６Ｂを収納したビニール袋収納体１を台所等の壁面（図示せず。）に紐部１３で吊り下げる。
【００５６】
ここで、壁掛け時に第１の収納体２を壁側とすることで棒状部１２が第１の収納体２、第２の収納体３及び第３の収納体４の上端側を壁面に押さえ付けた状態となる。これにより、ビニール袋等を収納した場合に、その重みで第１の収納体、第２の収納体及び第３の収納体が型崩れすることなく安定した状態を保持することが可能となる。
【００５７】
このような構成により、第１の収納体２、第２の収納体３及び第３の収納体４のビニール袋取出し口６、６Ａ、６Ｂからビニール袋１６、１６Ａ、１６Ｂの取り出しを一枚づつ、確実かつ、スムーズに行うことが可能となる。更に、第１の収納体、第２の収納体及び第３の収納体が型崩れすることなく安定した状態を保持されていることで、作業中に片手で容易に取り出すことができる。
【００５８】
また、横向きに二つ折にしたビニール袋と第１の収納体２、第２の収納体３及び第３の収納体４の幅が同等であるために、それぞれの収納体の大きさでビニール袋の大きさを確認することができる。
したがって、用途に応じてビニール袋の使い分けを容易に行うことが可能となる。
【００５９】
また、第１の収納体２、第２の収納体３及び第３の収納体４のビニール袋取出し口６、６Ａ、６Ｂが棒状部１２で壁側に押え付けられると共に、蓋部１０により閉塞されることで湯気や油脂分などの侵入を遮断して清潔を保持することが可能となる。
【００６０】
また、第３の収納体４の第２の収納体３とは反対側の面に、ポケット５、５Ａが設けられることで、お金、輪ゴム、あるいはレシート等の頻繁に使用する物を入れることにより利便性が向上する。
【００６１】
また、ビニール袋収納体をキルティング生地で形成することで見た目が台所にマッチすると共に、厚手の生地であるために型崩れがし難い。更に、汚れた場合には洗濯することができ、常に清潔に保つことができる。
【００６２】
また、蓋部に紐部を設けることで、台所の壁面、流しの壁、戸袋等に容易に取付けることが可能となる。
【００６３】
また、第１の収納体、第２の収納体及び第３の収納体のビニール袋投入口が揃った状態とされることで、ビニール袋等の補充を容易に行うことが可能となる。
なお、ビニール袋を二つ折りにする際に、台紙を挟んで収納することで最後の一枚まで容易に取り出すことができる。
【００６４】
＜第２の実施の形態＞
図４（図４（Ａ）は本発明を適用したビニール袋収納体の他の例を説明するための正面模式図を示し、図４（Ｂ）は本発明を適用したビニール袋収納体の他の例を説明するための背面模式図を示す。）は本発明を適用したビニール袋収納体の他の例を説明するための模式図、図５は本発明を適用したビニール袋収納体の他の例を説明するための立体模式図である。
【００６５】
ここで示すビニール袋収納体１Ａは、キルティング生地で形成されており、例えば、ビニール袋の種類に応じて第１の収納体２Ａ、第２の収納体３Ａ及び第３の収納体４Ａから構成されている。
【００６６】
ここで、第１の収納体２Ａは、ビニール袋を横向きに二つ折りにして収納できる大きさに形成されている。この第１の収納体２Ａに、その上端が第１の収納体２の上端と揃うようにして同形状の大きさに形成された第２の収納体３Ａが重なるようにして設けられている。
【００６７】
更に、第２の収納部３Ａに、その上端が第２の収納体３Ａの上端と揃うようにして同形状の大きさに形成された第３の収納体４Ａが重なるようにして設けられている。
【００６８】
また、第３の収納体４Ａの第２の収納体３Ａとは反対側の面には、２個の小物入れポケット５Ｂが取付けられている。更に、第１の収納体２Ａ、第２の収納体３Ａ及び第３の収納体４Ａの下端中央には、ビニール袋取出し口６、６Ａ、６Ｂが開口されている。
【００６９】
また、前記図３において詳述したように、第１の収納体２Ａ、第２の収納体３Ａ及び第３の収納体４Ａの上端は開口状とされ、ビニール袋投入口７、７Ａ、７Ｂとされている。
【００７０】
更に、第１の収納体２Ａのビニール袋投入口７の一辺８と第２の収納体３Ａのビニール袋投入口７Ａの他辺９が縫合され、第２の収納体３Ａのビニール袋投入口７Ａの一辺８Ａと第３の収納体４Ａのビニール袋投入口７Ｂの他辺９Ａが縫合されている。
【００７１】
また、ビニール袋収納体１Ａの上部両側端には、アーチ状の輪状部１４がそれぞれ取付けられている。この輪状部１４は、第１の収納体２Ａから第３の収納体４Ａに架けて取付けられている。
【００７２】
なお、本実施例では、第１の収納体、第２の収納体及び第３の収納体と同形状の３個の収納部を設けるものであるが、必ずしも同形状の３個とする必要性は無い。例えば、２個、あるいは４個など複数の個数であればよく、また、大きさの異なる収納部であっても構わない。
【００７３】
また、本実施例では、第１の収納体、第２の収納体及び第３の収納体をキルティング製の生地で構成するものであるが、必ずしもキルティング製で形成する必要性は無い。例えば、デニム製の生地など布製であればいかなる生地であっても構わないが、型崩れ等のし難い厚手の生地であることが望ましい。
【００７４】
以上の構成よりなるビニール袋収納体１Ａでは、第１の収納体２Ａ、第２の収納体３Ａ及び第３の収納体４Ａのビニール袋投入口７、７Ａ、７Ｂからビニール袋（図示せず。）を横向きに二つ折りにして収納する。
【００７５】
そして、ビニール袋収納体１Ａの上部両側端に取付けられた輪状部１４に、例えば、棒状部１２を挿通し、この棒状部１２の両側端に吊下げ用の紐１３を取付けて壁面（図示せず。）に掛けるようにする。
【００７６】
このようにして、ビニール袋の種類に応じて第１の収納体２Ａ、第２の収納体３Ａ及び第３の収納体４Ａのビニール袋取出し口６、６Ａ、６Ｂからビニール袋（図示せず。）を摘んで引き抜くことで容易に取り出すことが可能となる。
なお、ビニール袋を二つ折りにする際に、台紙を挟んで収納することで最後の一枚まで容易に取り出すことができる。
【００７７】
ここで、壁掛け時に棒状部１２が第１の収納体２、第２の収納体３及び第３の収納体４の上端側を固定した状態となる。これにより、ビニール袋等を収納した場合に、その重みで第１の収納体、第２の収納体及び第３の収納体が型崩れすることなく安定した状態を保持することが可能となる。
【００７８】
このような構成により、第１の収納体２Ａ、第２の収納体３Ａ及び第３の収納体４Ａのビニール袋取出し口６、６Ａ、６Ｂからビニール袋１６、１６Ａ、１６Ｂの取り出しを一枚づつ、確実かつ、スムーズに行うことが可能となる。更に、第１の収納体、第２の収納体及び第３の収納体が型崩れすることなく安定した状態を保持されていることで、作業中に片手で容易に取り出すことができる。
【００７９】
また、第３の収納体４Ａの第２の収納体３Ａとは反対側の面に、ポケット５、５Ａが設けられることで、お金、輪ゴム、あるいはレシート等の頻繁に使用する物を収納することにより利便性が向上する。
【００８０】
また、ビニール袋収納体をキルティング生地で形成することで見た目が台所にマッチすると共に、厚手の生地であるために型崩れがし難い。更に、汚れた場合には洗濯することができ、常に清潔に保つことができる。
【００８１】
＜第３の実施の形態＞
図６（図６（Ａ）は本発明を適用したビニール袋収納体の更に他の例を説明するための正面模式図を示し、図６（Ｂ）は本発明を適用したビニール袋収納体の更に他の例を説明するための背面模式図を示す。）は本発明を適用したビニール袋収納体の更に他の例を説明するための模式図である。
【００８２】
ここで示すビニール袋収納体１Ｂは、その上端に棒状部１２を挿通可能な内径を有する環状部２４が形成されたキルティング製の仕切り部２０と、この仕切り部２０の第１の面２１及び第２の面２２に配置された複数の第１の収納体２Ｂ、第２の収納体３Ｂから構成されている。
【００８３】
ここで、仕切り部２０は、厚手の１枚状のキルティング製の生地で形成され、その上端を環状に丸めて縫合することで棒状部１２が挿通可能な環状部２４が形成されている。
【００８４】
また、環状部２４の両側位置には、アーチ状に取付けられた吊下げ用輪部２５が配置されている。
【００８５】
更に、仕切り部２０の第１の面２１には、３個の第１の収納体２Ｂが上下方向に渡って配置されている。この第１の収納体２Ｂは、ビニール袋等が縦向きに二つ折りの状態で収納される大きさに形成されている。更に、第１の収納体２Ｂの側端にはビニール袋投入口７Ｃが開口され、下端の中央にはビニール袋取出し口６Ｃが開口されている。
【００８６】
また、仕切り部２０の第２の面２２には、２個の第２の収納体３Ｂが並列状に配置されている。この第２の収納体３Ｂは、ビニール袋等が縦向きに二つ折りの状態で収納される大きさに形成されている。更に、第２の収納体３Ｂの上端にはビニール袋投入口７Ｄが開口され、下端の中央及び側端にビニール袋取出し口６Ｄが開口されている。
【００８７】
なお、本実施例では、仕切り部の第１の面及び第２の面に複数の収納体を設けるものであるが、必ずしも第１の面及び第２の面に複数の収納体を設ける必要性は無く、第１の面及び第２の面に単一の収納体を設けても良い。
【００８８】
また、本実施例では、仕切り部、第１の収納体及び第２の収納体をキルティング製の生地で構成するものであるが、必ずしもキルティング製で形成する必要性は無い。例えば、デニム製の生地など布製であればいかなる生地であっても構わないが、型崩れ等のし難い厚手の生地であることが望ましい。
【００８９】
以上の構成よりなるビニール袋収納体１Ｂでは、仕切り部２０の第１の面２１に配置された第１の収納体２Ｂにビニール袋（図示せず。）を縦向きに二つ折りとした状態でビニール袋投入口７Ｃより挿入する。
【００９０】
また、仕切り部２０の第２の面２２に配置された第２の収納体３Ｂには、第１の収納体２Ｂに収納されるビニール袋とは種類の異なるビニール袋（図示せず。）を縦向きに二つ折りとした状態でビニール袋投入口７Ｄより挿入する。
【００９１】
更に、仕切り部２０上端の環状部２４内に棒状部１２を挿通し、吊下げ用輪部２５に紐（図示せず。）を通して壁等に吊り下げる、あるいは吊下げ用輪部２５に、例えばふきんかけ棒（図示せず。）を挿し通すことでビニール袋収納体１Ｂを設置する。
【００９２】
ここで、壁掛け時に棒状部１２が仕切り部２０の上端側を固定した状態となる。これにより、第１の収納体及び第２の収納体にビニール袋等を収納した場合に、仕切り部２０が型崩れすることなく安定した状態を保持することが可能となる。
【００９３】
このようにして設置されたビニール袋収納体１Ｂでは、数種のビニール袋を仕切り部２０の第１の面２１に配置された第１の収納体２Ｂのビニール袋取出し口６Ｄからビニール袋（図示せず。）を摘んで引く抜くことで容易に取り出すことが可能となる。この際に、仕切り部２０の上端が棒状部１２で固定されていることで仕切る部２０が型崩れすることがなく、ビニール袋の取り出しをスムーズに行うことができる。
【００９４】
また、仕切り部２０の第２の面２２に配置された第２の収納体３Ｂに収納されたビニール袋（図示せず。）は、第２の収納体３Ｂの下端の中央及び側端に設けられるビニール袋取出し口６Ｄからビニール袋を摘んで引く抜くことで容易に取り出すことが可能となる。この際に、仕切り部２０の上端が棒状部１２で固定されていることで仕切る部２０が型崩れすることがなく、ビニール袋の取り出しをスムーズに行うことができる。
なお、ビニール袋を二つ折りにする際に、台紙を挟んで収納することで最後の一枚まで容易に取り出すことができる。
【００９５】
また、ビニール袋収納体をキルティング生地で形成することで見た目が台所にマッチすると共に、厚手の生地であるために型崩れがし難い。更に、汚れた場合には洗濯することができ、常に清潔に保つことができる。
【符号の説明】
【００９６】
１、１Ａ、１Ｂ              ビニール袋収納体
２、２Ａ、２Ｂ              第１の収納体
３、３Ａ、３Ｂ              第２の収納体
４、４Ａ                    第３の収納体
５、５Ａ                    ポケット部
６、６Ａ、６Ｂ、６Ｃ、６Ｄ  ビニール袋取出し口
７、７Ａ、７Ｂ、７Ｃ、７Ｄ  ビニール袋投入口
８、８Ａ                    一辺
９、９Ａ                    他辺
１０                        蓋部
１１、１１Ａ                面状テープ
１２                        棒状部
１３                      紐部
１４                      輪状部
１６、１６Ａ、１６Ｂ      ビニール袋
２０                      仕切り部
２１                      第１の面
２２                      第２の面
２３、２３Ａ              収納体
２４                      環状部
２５                      吊下げ用輪部
【図１】
2013216341.tif 000003
【図２】
2013216341.tif 000004
【図３】
2013216341.tif 000005
【図４】
2013216341.tif 000006
【図５】
2013216341.tif 000007
【図６】
2013216341.tif 000008
【図７】
2013216341.tif 000009